(57)【要約】      （修正有）【課題】熱源機システム全体のＣＯＰを高められるようにする。【解決手段】複数の熱源機（吸収式冷凍機２１１〜２１３、ヒートポンプチラー２２１〜２２３）を運転制御する熱源機制御装置は、上記吸収式冷凍機における廃熱温水の流入出温度と流量に基づいて上記吸収式冷凍機の成績係数（ＣＯＰ）を求め、上記ヒートポンプチラーにおける冷水の流入出温度と流量および消費電力に基づいて上記ヒートポンプチラーの成績係数を求め、得られた各熱源機の成績係数に基づいて、上記熱源機の運転制御指示を決定するように構成されている。【選択図】図２
2018128228.tif 000002
【特許請求の範囲】
【請求項１】
複数の熱源機を運転制御する熱源機制御装置であって、
熱源機ごとの成績係数を求め、得られた成績係数に基づいて、上記熱源機の運転制御指示を決定するように構成されたことを特徴とする熱源機制御装置。
【請求項２】
請求項１の熱源機制御装置であって、
上記成績係数と、所定の基準値との大小関係に基づいて、上記熱源機の運転制御指示を決定するように構成されたことを特徴とする熱源機制御装置。
【請求項３】
請求項１から請求項２のうち何れか１項の熱源機制御装置であって、
上記複数の熱源機は、吸収式冷凍機を含み、
上記吸収式冷凍機における冷水の流入出温度と流量、冷却水の流入出温度と流量、および燃料ガスの流量に基づいて、上記熱源機ごとの成績係数を求めるように構成されたことを特徴とする熱源機制御装置。
【請求項４】
請求項３の熱源機制御装置であって、
上記吸収式冷凍機は、廃熱温水によって冷媒を再生する再生器を備えた吸収式冷凍機を含み、
さらに、上記吸収式冷凍機における上記廃熱温水の流入出温度と流量に基づいて、上記吸収式冷凍機の成績係数を求めるように構成されたことを特徴とする熱源機制御装置。
【請求項５】
請求項１から請求項２のうち何れか１項の熱源機制御装置であって、
上記複数の熱源機は、ヒートポンプチラーを含み、
上記ヒートポンプチラーにおける冷水の流入出温度と流量、および消費電力に基づいて、上記熱源機ごとの成績係数を求めるように構成されたことを特徴とする熱源機制御装置。
【請求項６】
請求項１から請求項５のうち何れか１項の熱源機制御装置であって、
さらに、熱源機ごとの入出熱バランスを求め、上記入出熱バランスが所定の閾値以下の熱源機について、上記成績係数を求めるように構成されたことを特徴とする熱源機制御装置。
【請求項７】
請求項１から請求項６のうち何れか１項の熱源機制御装置であって、
上記運転制御指示は、各熱源機の運転の優先順位の指示であることを特徴とする熱源機制御装置。
【請求項８】
請求項１から請求項７のうち何れか１項の熱源機制御装置であって、
インターネットを介して取得されるデータに基づいて、上記熱源機ごとの成績係数を求めるとともに、
上記熱源機の運転制御指示をインターネットを介して送るように構成されていることを特徴とする熱源機制御装置。
【請求項９】
請求項１から請求項８のうち何れか１項の熱源機制御装置であって、
さらに、求められた成績係数が所定の値を下回った時に、その旨を報知するように構成されたことを特徴とする熱源機制御装置。
【請求項１０】
複数の熱源機と、
熱源機ごとの成績係数を求めるための計測値を取得するとともに、上記複数の熱源機を個別に運転制御する監視制御装置と、
を備えたことを特徴とする熱源機装置。
【請求項１１】
請求項１０の熱源機装置であって、
上記熱源機ごとの成績係数を求めるための計測値を請求項１の熱源機制御装置に送るとともに、
上記熱源機の運転制御指示を上記熱源機制御装置から受けるように構成されていることを特徴とする熱源機装置。
【請求項１２】
請求項１の熱源機制御装置と、
請求項１１の熱源機装置と、
を備えたことを特徴とする熱源機システム。
【発明の詳細な説明】
【技術分野】
【０００１】
本発明は、複数の熱源機を選択的に運転制御する熱源機制御装置、そのような熱源機制御装置によって運転制御される複数の熱源機を有する熱源機装置、および上記熱源機制御装置と熱源機装置とを備えた熱源機システムに関するものである。
【背景技術】
【０００２】
複数台の吸収式冷凍機やヒートポンプ式冷凍機を有する熱源システムでは、各冷凍機を選択的に運転させる制御が行われる。具体的には、例えば負荷に送られる冷水の温度や、負荷から戻ってくる冷水の温度、およびこれらの冷水の流量を監視して、負荷における要求熱量を算出し、これに応じて冷凍機の運転を制御するシステムが知られている（例えば、特許文献１参照。）。
【先行技術文献】
【特許文献】
【０００３】
【特許文献１】特開２０１６−４４９５２号公報
【発明の概要】
【発明が解決しようとする課題】
【０００４】
冷凍機は、同一の仕様を有していても、性能のばらつきや劣化などに起因して、運転時の性能である成績係数（ＣＯＰ）が同一とは限らない。しかしながら、上記のように単に負荷における要求熱量に応じて冷凍機の運転を制御するのでは、各冷凍機に性能のばらつきや劣化がある場合には、必ずしも全体のＣＯＰを高くできるとは限らない。
【０００５】
本発明は、上記の点に鑑みてなされたものであり、熱源機システム全体のＣＯＰを容易に高められるようにすることを目的としている。
【課題を解決するための手段】
【０００６】
上記の目的を達成するために、
第１の発明は、
複数の熱源機を運転制御する熱源機制御装置であって、
熱源機ごとの成績係数を求め、得られた成績係数に基づいて、上記熱源機の運転制御指示を決定するように構成されたことを特徴とする。
【０００７】
これにより、熱源機ごとの成績係数に応じた運転制御が行われるので、熱源機システム全体の成績係数を容易に高めることができ、ライフサイクルコストの低減や、省エネルギ性能の向上を図ることなどが容易にできる。
【発明の効果】
【０００８】
本発明では、熱源機システム全体のＣＯＰを容易に高めることができる。
【図面の簡単な説明】
【０００９】
【図１】熱源機システム全体の概略構成を示すブロック図である。
【図２】熱源機装置の概略構成を示す説明図である。
【図３】吸収式冷凍機の概略構成を示す説明図である。
【図４】ヒートポンプチラーの概略構成を示す説明図である。
【図５】現地制御盤およびサーバ装置の概略構成を示すブロック図である。
【図６】サーバ装置で行われる処理を示すフローチャートである。
【図７】１日ごとのＣＯＰ平均値の推移の例を示すグラフである。
【図８】１日ごとの冷凍機負荷率の推移の例を示すグラフである。
【図９】負荷率とＣＯＰとの関係をプロットした例を示すグラフである。
【発明を実施するための形態】
【００１０】
以下、本発明の実施形態を図面に基づいて詳細に説明する。
【００１１】
（熱源機システム１００、熱源機装置２００の概略構成）
熱源機システム１００は、図１に示すように、熱源機装置２００とサーバ装置３００とがインターネット１０１を介して接続されて構成されている。
【００１２】
上記熱源機装置２００は、例えば図２に示すように、複数の熱源機としての吸収式冷凍機２１１〜２１３とヒートポンプチラー２２１〜２２３とを備えている。各吸収式冷凍機２１１〜２１３およびヒートポンプチラー２２１〜２２３には、負荷装置から還ヘッダ２３２を介して冷水が流入し、各吸収式冷凍機２１１〜２１３およびヒートポンプチラー２２１〜２２３からは、往ヘッダ２３１を介して負荷装置に冷水が流出するようになっている。これらの吸収式冷凍機２１１等は、例えば同じ敷地内に配設された現地制御盤２４１に接続され、成績係数（ＣＯＰ）を求めるための計測値や個別に運転制御する制御信号が送受されるようになっている。
【００１３】
（吸収式冷凍機２１１〜２１３の概略構成）
吸収式冷凍機２１１〜２１３は、例えば図３に示すように、高温再生器５１１と、廃熱温水再生器５２１と、低温再生器５２２と、凝縮器５２３と、蒸発器５３１と、吸収器５４１とを備えて構成されている。
【００１４】
高温再生器５１１は、低濃度の臭化リチウム等の吸収液を燃料ガスの燃焼により加熱して、冷媒としての水を蒸発させて分離し冷媒流路５６１に送り出すとともに、高濃度の吸収液を高濃度吸収液流路５６２に送り出すものである。
【００１５】
廃熱温水再生器５２１、および低温再生器５２２は、廃熱温水流路５６３を介して流れる廃熱温水の熱、または高温再生器５１１から冷媒流路５６１を介して送られる水蒸気の熱によって低濃度の吸収液を加熱し、やはり水を蒸発させて分離し凝縮器５２３に送るとともに、高濃度の吸収液を高濃度吸収液流路５６２に送り出すものである。
【００１６】
凝縮器５２３は、上記水蒸気を冷却水流路５６４を介して流れる冷却水により冷却して凝縮させ、冷媒としての水にするものである。
【００１７】
蒸発器５３１は、上記水を冷媒ポンプ５５５によって循環させながら蒸発させることにより、負荷装置との間で冷水流路５６５を介して循環する冷水を冷却するものである。
【００１８】
吸収器５４１は、蒸発器５３１で蒸発した水蒸気を、高濃度吸収液流路５６２を介して供給される高濃度の吸収液に吸収させて蒸発器５３１内の圧力を低下させ、上記水の蒸発を促進させるものである。上記水蒸気の吸収によって低濃度となった吸収液は、低濃度吸収液ポンプ５５６により低濃度吸収液流路５６６に送られ、冷媒熱交換器５５１、低温熱交換器５５２、高温熱交換器５５３、または排ガス熱交換器５５４により熱交換された後、上記高温再生器５１１、廃熱温水再生器５２１、および低温再生器５２２に送られて、再度高濃度にされて循環するようになっている。
【００１９】
また、上記冷水流路５６５、冷却水流路５６４、および廃熱温水流路５６３には、流入出口付近に温度センサ５７１・５７２・５７４・５７５・５７７・５７８が設けられるとともに、例えば差圧式の流量センサ５７３・５７６・５７９が設けられ、これらの流路を流れる冷水等の温度や流量が計測されて前記現地制御盤２４１（図２）に送られるようになっている。さらに、高温再生器５１１に供給される燃料ガスの流量もガス流量センサ５８０によって計測され、現地制御盤２４１に送られるようになっている。
【００２０】
（ヒートポンプチラー２２１〜２２３の概略構成）
ヒートポンプチラー２２１〜２２３は、例えば図４に示すように、それぞれ、チラーユニット６０１と、このチラーユニット６０１に対する冷水の流入出温度を計測する温度センサ６１１・６１２、流量を計測する流量センサ６１３、および消費電力を計測する電力量計６１４が設けられて成っている。
【００２１】
（熱源機装置２００の現地制御盤２４１、およびサーバ装置３００の概略構成）
熱源機装置２００の現地制御盤２４１は、例えば図５に示すように、ＶＰＮルータ２４２と、監視・制御装置２４３とを備えて構成されている。また、サーバ装置３００は、ＶＰＮルータ３０１と、処理装置３０２とを備えて構成されている。
【００２２】
現地制御盤２４１の上記監視・制御装置２４３は、上記各センサによって計測される温度や流量の計測値を取得するとともに、各吸収式冷凍機２１１〜２１３およびヒートポンプチラー２２１〜２２３を個別に運転制御するようになっている。
【００２３】
現地制御盤２４１およびサーバ装置３００のＶＰＮルータ２４２は、上記監視・制御装置２４３によって取得された計測値や、サーバ装置３００から送られる各吸収式冷凍機２１１等の運転制御指示を、インターネット１０１を介したＶＰＮ（仮想プライベートネットワーク）によって伝送するようになっている。
【００２４】
サーバ装置３００の処理装置３０２は、例えば現地制御盤２４１の監視・制御装置２４３とともに以下で説明するような処理を行うことによって、各吸収式冷凍機２１１等の運転制御指示を決定するようになっている。
【００２５】
（熱源機システム１００の動作）
熱源機装置２００の監視・制御装置２４３、およびサーバ装置３００の処理装置３０２では、例えば図６および以下で説明するような処理が行われる。
【００２６】
（Ｓ１０１）  監視・制御装置２４３で、ガス焚きまたは電動機が運転中かどうかが判定され、運転中でなければ、この判定が繰り返される。
【００２７】
（Ｓ１０２）  運転中であれば、前回の計測から１分経過時に、温度センサ５７１…、流量センサ５７３…、ガス流量センサ５８０、および電力量計６１４による計測が行われ、計測結果が１０１を介してサーバ装置３００の処理装置３０２に送られる。
【００２８】
（Ｓ１０３）  処理装置３０２で、上記計測結果に基づいて、各吸収式冷凍機２１１〜２１３、およびヒートポンプチラー２２１〜２２３の入出熱バランス、例えば入熱または出熱に対する両者の差の比が±１０％以下かどうかが判定される。上記入熱は、例えば冷水側熱量や、ガス使用量、電力使用量などであり、出熱は、冷却水系熱量などである。上記入出熱バランスが悪ければ、冷水出口温度変動や冷却水流量変動が大きいなどの場合と考えられるので、そのような計測結果を採用しないことにより、計測結果の信頼性を向上させることができる。
【００２９】
（Ｓ１０４）  入出熱バランスが±１０％以下であれば、計測結果が保存される。
【００３０】
（Ｓ１０５）  上記計測結果の前の計測結果が前日のものかどうかが判定され、前日のものでなければ、その日の計測を繰り返すために処理は（Ｓ１０１）に戻る。
【００３１】
（Ｓ１０６）  一方、上記計測結果の前の計測結果が前日ものものであれば、前日の計測は終了したことになるので、保存されている前日の計測結果に基づいて前日のＣＯＰ、および負荷率の平均値が算出される。
【００３２】
（Ｓ１０７）  次に前月１か月間の計測が終了したかどうかが判定され、終了するまで上記（Ｓ１０１）〜（Ｓ１０７）が繰り返される。
【００３３】
（Ｓ１０８）  例えば図７、図８に示すように前月１か月間の計測が終了していれば、前月の平均ＣＯＰ、および負荷率が算出される。
【００３４】
（Ｓ１０９）  上記計測によって得られたＣＯＰと、あらかじめメーカによって提供された予想性能における同じ負荷率の場合のＣＯＰ（基準値）との比をここでは効率と定義する。具体的には、例えば図９に７月、８月での負荷率と計測によって得られたＣＯＰをプロットしている。各月での負荷率から上記効率を算出する。ここで、上記効率は、数値として表されるようにしてもよいが、例えば図９に示すように、実線で示されるＣＯＰの基準値よりも大きい（○の範囲）か、基準値と１０％低下した値との間（△の範囲）か、または１０％以上低下した値（×の範囲）かなどの段階で表されるようにしてもよい。
【００３５】
（Ｓ１１０）  求められた効率に基づいて、例えば下記（表１）に示すように新たな運転の優先順位が決定される。すなわち、例えば吸収式冷凍機２１２の効率が低下していれば、吸収式冷凍機２１２は負荷が大きくなった場合にだけ運転されるように設定される。なお、効率の低下程度等に応じては、優先順位を低下させるのではなく、メインテナンスが行われるまで運転が停止されるようにしたりしてもよい。
【００３６】
ここで、例えばヒートポンプチラー２２１〜２２３のように複数台が組み合わされている場合などには、ＣＯＰや負荷率の平均が求められ、ひとまとめにして効率や優先順位が扱われるようにしてもよい。また、優先順位は必ずしも上記効率だけに基づいて設定されるのに限らず、例えば電気料金とガス料金との相違なども考慮されて、（表１）に示すように優先順位が２、または３の何れかに設定されるなどしてもよい。
【００３７】
【表１】
2018128228.tif 000003
【００３８】
（Ｓ１１１）  上記効率の低下が例えば１０％以下かどうかが判定され、１０％以下であれば、そのままの運転状態が継続され、上記（Ｓ１０１）〜（Ｓ１１１）の処理が繰り返される。
【００３９】
（Ｓ１１２）  上記効率の低下が１０％を超えていれば（例えば上記表１の吸収式冷凍機２１２）、その旨の警報が発報され、例えばメーカサービスによる迅速なメインテナンス実施が促され、以下、上記（Ｓ１０１）〜（Ｓ１１１）の処理が繰り返される。
【００４０】
なお、上記ヒートポンプチラー２２１〜２２３のように複数台まとめて優先順位が管理されるのに限らず、これらも別個に管理されるようにしてもよい。また、まとめて優先順位が管理されるとともに、これらの同種の複数台の中で、さらに、同様にして優先順位が管理されるようにしたりしてもよい。具体的には、例えば下記（表２）に示すように、ヒートポンプチラー２２１について求められたＣＯＰが２．５だとして、効率の低下が１０％を超えていたとすると、警報が発報されるとともにヒートポンプチラー２２１の運転が停止され、ヒートポンプチラー２２３・２２２が、この順の運転優先順位にされるなどしてもよい。このような場合、運転が停止されたヒートポンプチラー２２１に関しては、メインテナンスが終了すると、例えば仮の運転優先順位として第１位の優先順位が設定されることにより優先的に運転が行われ、その後、一定期間の運転の後や、翌月に、再度上記のような処理によってＣＯＰが算出される。その結果、例えばＣＯＰが５．４だったとすると、ヒートポンプチラー２２１〜２２３のＣＯＰの比較により、ヒートポンプチラー２２３、２２１、２２２の順の運転優先順位が設定される。
【００４１】
【表２】
2018128228.tif 000004
【００４２】
（その他の事項）
上記図６の（Ｓ１１０）説明したように負荷率ごとの実測ＣＯＰと予想ＣＯＰとの比が算出されて平均化されることによって、定格点だけでなく、実際の運転状態で多く使用される部分負荷領域での劣化程度を判定することにより、実状に即した判定を行うことが容易にできる。
【００４３】
また、上記のように吸収式冷凍機２１１等ごとに、冷却水、廃熱温水、冷水等の流量が検出されることによって、冷却水等の不足などのトラブルを容易に発見可能になり、発見の迅速化によるエネルギ消費のロスを低減することも容易にできる。
【００４４】
また、冷却水等の流入出温度と流量とが計測され、各吸収式冷凍機２１１等ごとの入出熱バランスが算出されることによって、計測データの信頼性を向上させることが容易にできる。
【００４５】
また、メーカサービスのメインテナンス作業（例えば１年に１回行われる冷却水洗浄）等によって冷凍能力がどの程度回復したかを確認することも容易にできる。
【００４６】
また、上記のように吸収式冷凍機２１１等ごとの計測が行われ、さらに、特に遠隔監視が行われることによって、いわゆるＯＮ点検等と呼ばれる、現地にサービスマンが出向いて種々の計測などを行う点検を回避し、または低減することなども容易にできる。
【００４７】
また、上記のように吸収式冷凍機２１１等ごとのＣＯＰに基づいた制御が行われることによって、従来のように、冷凍機運転時間の平均化によるローテーション運転によって冷凍機の運転台数制御をする場合に比べて、冷凍機性能を考慮した運転をすることができ、また、上記のような制御によって台数制御ロジック自体が変えられることになるので、エネルギ消費を低減することがより容易にできる。
【００４８】
また、運転時に期待される性能が出ていない場合などに、原因を特定するために現場での測定や調整を繰り返したりするのを回避して、データ分析によって改善すべき要素を明確化することが容易にできるので、維持コストを低減することが容易にできる。
【００４９】
また、各機器の個体差を把握して運転時間を制御することなどができるので、システム全体の効率を高めることが容易にできる。
【００５０】
なお、上記の例では現地制御盤２４１とサーバ装置３００とで吸収式冷凍機２１１等の運転制御が行われる例を示したが、これに限らず、何れか一方でこれらの処理が行われるようにしてもよい。
【００５１】
また、サーバ装置３００はインターネット１０１を介して熱源機装置２００に接続される例を示したが、これに限らず、専用回線で接続されたり、サーバ装置３００が熱源機装置２００と同じ場所に設置されてＬＡＮ等で接続されるなどしてもよい。
【００５２】
また、熱源機として、吸収式冷凍機２１１〜２１３とヒートポンプチラー２２１〜２２３とが用いられる例を示したが、これに限らず、種々の熱源機に対して、同様の制御をしてもよい。
【００５３】
また、吸収式冷凍機２１１等の構成も上記に限らず、例えば廃熱温水再生器５２１等を備えない冷凍機などでも、同様の制御は可能である。
【符号の説明】
【００５４】
１００      熱源機システム
１０１      インターネット
２００      熱源機装置
２１１〜２１３    吸収式冷凍機
２２１〜２２３    ヒートポンプチラー
２３１      往ヘッダ
２３２      還ヘッダ
２４１      現地制御盤
２４２      ＶＰＮルータ
２４３      監視・制御装置
３００      サーバ装置
３０１      ＶＰＮルータ
３０２      処理装置
５１１      高温再生器
５２１      廃熱温水再生器
５２２      低温再生器
５２３      凝縮器
５３１      蒸発器
５４１      吸収器
５５１      冷媒熱交換器
５５２      低温熱交換器
５５３      高温熱交換器
５５４      排ガス熱交換器
５５５      冷媒ポンプ
５５６      低濃度吸収液ポンプ
５６１      冷媒流路
５６２      高濃度吸収液流路
５６３      廃熱温水流路
５６４      冷却水流路
５６５      冷水流路
５６６      低濃度吸収液流路
５７１・５７２・５７４・５７５・５７７・５７８  温度センサ
５７３・５７６・５７９  流量センサ
５８０      ガス流量センサ
６０１      チラーユニット
６１１・６１２    温度センサ
６１３      流量センサ
６１４      電力量計
【図１】
2018128228.tif 000005
【図２】
2018128228.tif 000006
【図３】
2018128228.tif 000007
【図４】
2018128228.tif 000008
【図５】
2018128228.tif 000009
【図６】
2018128228.tif 000010
【図７】
2018128228.tif 000011
【図８】
2018128228.tif 000012
【図９】
2018128228.tif 000013
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
複数の熱源機を運転制御する熱源機制御装置であって、
熱源機ごとに、所定時間ごとの実際の成績係数を所定期間平均した平均成績係数、および上記所定時間ごとの負荷率を上記所定期間平均した平均負荷率を求め、得られた上記平均負荷率に応じた所定の基準値と、上記平均成績係数に基づいて、上記熱源機の運転制御指示を決定するように構成されたことを特徴とする熱源機制御装置。
【請求項２】
請求項１の熱源機制御装置であって、
上記複数の熱源機は、吸収式冷凍機を含み、
上記吸収式冷凍機における冷水の流入出温度と流量、および燃料ガスの流量に基づいて、上記熱源機ごとの平均成績係数を求めるように構成されたことを特徴とする熱源機制御装置。
【請求項３】
請求項２の熱源機制御装置であって、
上記吸収式冷凍機は、廃熱温水によって冷媒を再生する再生器を備えた吸収式冷凍機を含み、
さらに、上記吸収式冷凍機における上記廃熱温水の流入出温度と流量に基づいて、上記吸収式冷凍機の平均成績係数を求めるように構成されたことを特徴とする熱源機制御装置。
【請求項４】
請求項１の熱源機制御装置であって、
上記複数の熱源機は、ヒートポンプチラーを含み、
上記ヒートポンプチラーにおける冷水の流入出温度と流量、および消費電力に基づいて、上記熱源機ごとの平均成績係数を求めるように構成されたことを特徴とする熱源機制御装置。
【請求項５】
請求項１から請求項４のうち何れか１項の熱源機制御装置であって、
さらに、熱源機ごとの入出熱の差を求め、上記入出熱の差が所定の閾値以下の熱源機について、上記平均成績係数を求めるように構成されたことを特徴とする熱源機制御装置。
【請求項６】
請求項１から請求項５のうち何れか１項の熱源機制御装置であって、
上記運転制御指示は、各熱源機の運転の優先順位の指示であることを特徴とする熱源機制御装置。
【請求項７】
請求項１から請求項６のうち何れか１項の熱源機制御装置であって、
インターネットを介して取得されるデータに基づいて、上記熱源機ごとの平均成績係数を求めるとともに、
上記熱源機の運転制御指示をインターネットを介して送るように構成されていることを特徴とする熱源機制御装置。
【請求項８】
請求項１から請求項７のうち何れか１項の熱源機制御装置であって、
さらに、求められた平均成績係数が所定の値を下回った時に、その旨を報知するように構成されたことを特徴とする熱源機制御装置。
【請求項９】
複数の熱源機と、
熱源機ごとの平均成績係数を求めるための計測値を取得するとともに、上記複数の熱源機を個別に運転制御する監視制御装置と、
を備えた熱源機装置であって、
上記熱源機ごとの平均成績係数を求めるための計測値を請求項１の熱源機制御装置に送るとともに、
上記熱源機の運転制御指示を上記熱源機制御装置から受けるように構成されていることを特徴とする熱源機装置。
【請求項１０】
請求項１の熱源機制御装置と、
請求項９の熱源機装置と、
を備えたことを特徴とする熱源機システム。